(57)【要約】【課題】被めっき物近傍の表面処理液を均一に撹拌することでめっき厚を均一にし、かつ強度を向上させた表面処理装置及びパドルを提供すること、また、めっき厚を均一にし、かつパドルの強度を向上させ、長時間の撹拌が可能な表面処理方法を提供することを目的とする。【解決手段】被めっき物に対し往復移動させ、前記被めっき物近傍の表面処理液を撹拌するための少なくとも１つ以上の板状のパドルを表面処理槽に備えた表面処理装置であって、前記パドルは、前記被めっき物に沿って前記表面処理液の深さ方向に設けられた複数の角棒が一定の間隔で一体に形成されており、前記角棒は、該角棒の厚み方向の断面において、前記被めっき物に対して曲面が設けられていることを特徴とする。【選択図】図２
2019183223.tif 000002
【特許請求の範囲】
【請求項１】
被めっき物に対し往復移動させ、前記被めっき物近傍の表面処理液を撹拌するための少なくとも１つ以上の板状のパドルを表面処理槽に備えた表面処理装置であって、
前記パドルは、前記被めっき物に沿って前記表面処理液の深さ方向に設けられた複数の角棒が一定の間隔で一体に形成されており、
前記角棒は、該角棒の厚み方向の断面において、前記被めっき物に対して曲面が設けられていることを特徴とする表面処理装置。
【請求項２】
前記曲面は、前記被めっき物に対し、左向き及び右向きが交互に設けられていることを特徴とする請求項１に記載の表面処理装置。
【請求項３】
前記間隔は、１０〜３０ｍｍに形成されていることを特徴とする請求項１又は２に記載の表面処理装置。
【請求項４】
前記角棒は、５〜１０ｍｍ角であることを特徴とする請求項１〜３の何れか１項に記載の表面処理装置。
【請求項５】
前記曲面は、Ｒ３〜１０ｍｍであることを特徴とする請求項４に記載の表面処理装置。
【請求項６】
前記パドルと前記被めっき物との距離が１０〜３０ｍｍであることを特徴とする請求項１〜５の何れか１項に記載の表面処理装置。
【請求項７】
移動速度が３５〜６００ｍｍ／ｓ、ストロークが５０〜２００ｍｍで前記パドルを往復移動させる動力手段をさらに備えることを特徴とする請求項１〜６の何れか１項に記載の表面処理装置。
【請求項８】
前記パドルは、被めっき物の両側に設けられていることを特徴とする請求項１〜７の何れか１項に記載の表面処理装置。
【請求項９】
被めっき物に対し往復移動させ、前記被めっき物近傍の表面処理液を撹拌するための少なくとも１以上の板状のパドルを用いた表面処理方法であって、
前記パドルは、前記被めっき物に沿って前記表面処理液の深さ方向に設けられた複数の角棒が一定の間隔で一体に形成されており、
前記角棒は、該角棒の厚み方向の断面において、前記被めっき物に対して曲面が設けられていることを特徴とする表面処理方法。
【請求項１０】
被めっき物に対し往復移動させ、前記被めっき物近傍の表面処理液を撹拌するための板状のパドルであって、
前記パドルは、一方向に設けられた複数の角棒が一定の間隔で一体に形成されており、
前記角棒は、該角棒の厚み方向の断面において、曲面が設けられていることを特徴とするパドル。
【発明の詳細な説明】
【技術分野】
【０００１】
本発明は、表面処理液を撹拌するためのパドルを備えた表面処理装置、表面処理液を撹拌するためのパドルを用いた表面処理方法及び表面処理液を撹拌するためのパドルに関する。
【背景技術】
【０００２】
従来より、めっき又はめっき前後の表面処理を効果的に行うために、めっき液やめっき前処理液又はめっき後処理液などの表面処理液を撹拌する。
【０００３】
めっき液やめっき前後の表面処理液を撹拌することで、被めっき物のめっき厚を均一にすることができる。
【０００４】
例えば特許文献１では、被めっき面方向を向く板状の弾性体からなるフィンを用い、パドルの往復運動時のそれぞれの進行方向に対してその逆方向に湾曲させることで、湾曲したフィンに沿う処理液の流れを被めっき面近傍に向かわせる流れにし、めっき用処理液を撹拌している。
【先行技術文献】
【特許文献】
【０００５】
【特許文献１】特許第４３６５１４３号
【発明の概要】
【発明が解決しようとする課題】
【０００６】
しかしながら、特許文献１の図１に示されるような従来の方法では、パドル３４の上部だけをパドルシャフト３２に取り付けており、フィンやパドルが独立しているので、表面処理液の撹拌が強い箇所と弱い箇所が生じ、均一に撹拌できず、めっき厚が均一にできない。さらに装置の強度的な問題もある。
【０００７】
そこで、本発明は被めっき物近傍の表面処理液を均一に撹拌することでめっき厚を均一にし、かつ強度を向上させた表面処理装置及びパドルを提供すること、また、めっき厚を均一にし、かつパドルの強度を向上させ、長時間の撹拌が可能な表面処理方法を提供することを目的とする。
【課題を解決するための手段】
【０００８】
本発明の一態様に係る表面処理装置は、被めっき物に対し往復移動させ、前記被めっき物近傍の表面処理液を撹拌するための少なくとも１つ以上の板状のパドルを表面処理槽に備えた装置であって、前記パドルは、前記被めっき物に沿って前記表面処理液の深さ方向に設けられた複数の角棒が一定の間隔で一体に形成されており、前記角棒は、該角棒の厚み方向の断面において、前記被めっき物に対して曲面が設けられていることを特徴とする。
【０００９】
このようにすれば、被めっき物近傍の表面処理液を均一に撹拌することでめっき厚を均一にし、かつ強度を向上させた表面処理装置を提供することができる。
【００１０】
このとき、本発明の一態様では、前記曲面は、前記被めっき物に対し、左向き及び右向きが交互に設けられても良い。
【００１１】
このようにすれば、パドルを往復移動させたとき、どちらの移動方向に対しても、表面処理液を捉えることができ、より均一に撹拌することができる。
【００１２】
また、本発明の一態様では、前記間隔は、１０〜３０ｍｍに形成されても良い。
【００１３】
このようにすれば、被めっき物を遮蔽することなく、表面処理液を均一に撹拌し、めっき厚をより均一にできる。
【００１４】
また、本発明の一態様では、前記角棒は、５〜１０ｍｍ角としても良い。
【００１５】
このようにすれば、表面処理液を撹拌するのに最適なサイズとなり、表面処理液をより均一に撹拌することでめっき厚を均一にし、かつ強度をより向上させることができる。
【００１６】
また、本発明の一態様では、前記曲面は、Ｒ３〜１０ｍｍとしても良い。
【００１７】
このようにすれば、最適なパドルの曲面となり、表面処理液をさらに効率的に捉え、より均一に撹拌することでめっき厚を均一にし、かつ強度をより向上させることができる。
【００１８】
また、本発明の一態様では、前記パドルと前記被めっき物との距離が１０〜３０ｍｍとしても良い。
【００１９】
このようにすれば、パドルと被めっき物が接触する懸念性が低くなる。また、撹拌力が低下することを防止できる。
【００２０】
また、本発明の一態様では、移動速度が３５〜６００ｍｍ／ｓ、ストロークが５０〜２００ｍｍで前記パドルを往復移動させる動力手段をさらに備えても良い。
【００２１】
このようにすれば、表面処理液を撹拌するのに最適な移動速度及びストロークとなり、表面処理液をより均一に撹拌することでめっき厚を均一にし、かつ強度をより向上させることができる。
【００２２】
また、本発明の一態様では、前記パドルは、被めっき物の両側に設けられても良い。
【００２３】
このようにすれば、被めっき物の表裏面の表面処理液を均一に撹拌することで、被めっき物の表裏面のめっき厚を均一にすることができる。
【００２４】
また、本発明の他の態様は、被めっき物に対し往復移動させ、前記被めっき物近傍の表面処理液を撹拌するための少なくとも１以上の板状のパドルを用いた表面処理方法であって、前記パドルは、前記被めっき物に沿って前記表面処理液の深さ方向に設けられた複数の角棒が一定の間隔で一体に形成されており、前記角棒は、該角棒の厚み方向の断面において、前記被めっき物に対して曲面が設けられていることを特徴とする。
【００２５】
このようにすれば、被めっき物近傍の表面処理液を均一に撹拌することでめっき厚を均一にし、かつパドルの強度を向上させ、長時間の撹拌が可能な表面処理方法を提供することができる。
【００２６】
また、本発明の他の態様は、被めっき物に対し往復移動させ、前記被めっき物近傍の表面処理液を撹拌するための板状のパドルであって、前記パドルは、一方向に設けられた複数の角棒が一定の間隔で一体に形成されており、前記角棒は、該角棒の厚み方向の断面において、曲面が設けられていることを特徴とする。
【００２７】
このようにすれば、被めっき物近傍の表面処理液を均一に撹拌することでめっき厚を均一にし、かつ強度を向上することができるパドルを提供することができる。
【発明の効果】
【００２８】
以上説明したように本発明によれば、被めっき物近傍の表面処理液を均一に撹拌することでめっき厚を均一にし、かつ強度を向上させた表面処理装置及びパドルを提供することができる。また、めっき厚を均一にし、かつパドルの強度を向上させ、長時間の撹拌が可能な表面処理方法を提供することができる。
【図面の簡単な説明】
【００２９】
【図１】図１は、本発明の一実施形態に係る表面処理装置を上から見た概略図である。
【図２】図２は、本発明の一実施形態に係る表面処理装置を側面から見た概略図である。
【図３】図３は、本発明の一実施形態に係るパドルを側面から見た概略図である。
【図４】図４は、図３のＡ−Ａ’断面図である。
【図５】図５は、図４の一部における拡大図である。
【図６】図６は、角棒に設けられた曲面のパラメータの追加例である。
【図７】図７は、本発明の他の実施形態に係るパドルを側面から見た概略図である。
【図８】図８は図７の断面図であり、図８（Ａ）が図７のａ−ａ’、図８（Ｂ）が図７のｂ−ｂ’、図８（Ｃ）が図７のｃ−ｃ’、図８（Ｄ）が図７のｄ−ｄ’の断面図である。
【図９】図９は、貫通穴を千鳥状に設けたパドルを側面から見た概略図である。
【発明を実施するための形態】
【００３０】
以下、図面を参照して、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。本発明の一実施形態に係る表面処理装置、表面処理方法及びパドルについて、下記の順に説明する。
１．表面処理装置
２．パドル
３．表面処理方法
【００３１】
［１．表面処理装置］
本発明の一実施形態に係る表面処理装置１００は、図１に示すように、被めっき物１０に対し、矢印Ｃのように表面処理槽３０の長手方向（Ｘ方向）に往復移動させ、上記被めっき物１０近傍の表面処理液２０を撹拌するための少なくとも１つ以上の板状のパドル５０を表面処理槽３０に備える。そして、上記パドルは、上記被めっき物に沿って上記表面処理液の深さ方向に設けられた複数の角棒が一定の間隔で一体に形成されており、上記角棒は、当該角棒の厚み方向の断面において、上記被めっき物に対して曲面が設けられていることを特徴とする。以下詳細に説明する。
【００３２】
上記パドル５０は、例えば図１に示すような、固定具４０により支柱４１に固定され、支柱４１を動かすための動力手段６０と、軸受７０とを備えても良い。また、上記パドル５０は、被めっき物１０とアノード８０との間に設けられている。
【００３３】
上記パドル５０は、静止状態で被めっき物１０に対して平行に設けられることが好ましい。また、上記パドル５０は、矢印Ｃのように表面処理槽３０の長手方向（ｘ方向）に往復移動させるが、被めっき物１０に平行に往復移動することが好ましい。このようにすれば、被めっき物近傍の表面処理液２０をより均一に撹拌できるからである。なお図１に示す表面処理槽３０は、ｘ方向が長手になっているが、ｙ方向が長手になっている表面処理槽の場合には、パドル５０は、表面処理槽の短手方向（ｘ方向）に往復移動させる。つまり被めっき物１０に対し平行に往復移動させる。
【００３４】
なお、パドル５０による撹拌の他、バブリング装置を表面処理槽３０に取り付け、バブリングによる撹拌と組み合わせても良い。このようにすれば、表面処理液中に酸素が必要であり、溶存酸素を高めたい場合に好適である。
【００３５】
また、図１では、被めっき物に対し、パドル５０を片側に設けたが、被めっき物両側に設けても良い。このようにすれば、両側の撹拌が必要な場合において、効率よく撹拌をすることができる。また、被めっき物の片側又は両側にパドルを２以上設けても良い。表面処理槽の大きさ、被めっき物の処理数に応じて適宜パドル数を調整する。
【００３６】
次に、図２を用いて説明する。図２は、本発明の一実施形態に係る表面処理装置１００を側面から見た概略図である。図２に示すように、表面処理装置１００に備えたパドル５０は、上記表面処理液の深さ方向（Ｚ方向）に設けられた複数の角棒が一定の間隔で一体に形成されている。そうすることで、パドル５０の強度を向上させることができる。
【００３７】
また、上述したが、パドル５０は、例えば固定具４０により支柱４１に固定され、支柱４１を動かすための動力手段６０と、軸受７０とを備えても良い。さらに動力手段６０及び軸受７０とを支えるフレーム９０を設けても良い。
【００３８】
パドル５０は、図２に示すように、矢印Ｃのように往復移動する。このとき、移動速度が３５〜６００ｍｍ／ｓ、ストロークが５０〜２００ｍｍで上記パドル５０を往復移動させる動力手段６０をさらに備えることが好ましい。動力手段６０は例えば、モーターなどが挙げられ、公知の手段を用いればよい。それら動力手段を用いて、移動速度やストロークを調整すればよい。
【００３９】
さらに、被めっき物１０は、パドル５０の静止状態で、パドル５０の端部（上部５０Ｕ、右部５０Ｒ、左部５０Ｌ、下部５０Ｂ）より内側に配置されることが好ましい。このようにすれば、被めっき物１０の隅々における被めっき物近傍の表面処理液２０をより均一に撹拌することができる。より好ましくは、作動状態でパドル５０の端部（上部５０Ｕ、右部５０Ｒ、左部５０Ｌ、下部５０Ｂ）の内側に配置されることが好ましい。
【００４０】
本発明の一実施形態に係る表面処理装置１００は、電解めっき、無電解めっきなどに適用でき、特にビアホールフィリング及び／又はスルホールフィリング用に適用することが好ましい。これは、ビアホールフィリングやスルホールフィリング用めっきにおいて、上記のように効率的に撹拌することにより、ブライトナーやレベラー等の添加剤が効率良く機能し、フィリングの性能が向上するからである。
【００４１】
その他、本発明の一実施形態に係る表面処理装置１００は、めっき前処理、後処理にも適用できる。特に液の効率良い撹拌が要求される場面において好適である。よって、本発明の一実施形態に係る表面処理装置１００は、上記のように効率良く撹拌することで、めっき液やめっき前後処理液等の表面処理液に含まれる添加剤の効果をより効率的に発揮することができる。
【００４２】
また、被めっき物１０は、プリント基板などの板状のものや、凹凸がある被装飾物等が挙げられる。また、本発明の一実施形態に係る表面処理装置１００は、被めっき物１０にスルホールやビアホールなどの孔が設けられた仕様、特にアスペクト比が高いものや、凹凸のあるものに対し有効である。
【００４３】
以上より、本発明の一実施形態に係る表面処理装置１００によれば、被めっき物１０近傍の表面処理液２０を均一に撹拌することができる。そして、撹拌を均一にすることで、被めっき物表面のイオン交換が均等になることで、めっき厚を均一にすることができる。また、強度を向上させた表面処理装置を提供することができる。
【００４４】
［２．パドル］
次に本発明の一実施形態に係る表面処理装置１００に用いられるパドル５０について説明する。本発明の一実施形態に係るパドル５０は、被めっき物１０に対し往復移動させ、上記被めっき物１０近傍の表面処理液を撹拌するための板状のパドルである。図３に示すように、上記パドル５０は、一方向に設けられた複数の角棒が一定の間隔で一体に形成されており、上記角棒は、当該角棒の厚み方向の断面において、曲面が設けられていることを特徴とする。
【００４５】
上記の本発明の一実施形態に係るパドル５０の構造とすることで、表面処理液を均一に撹拌することができるほか、めっき時に遮蔽効果が生じさせないことも特徴である。パドルの形状によっては遮蔽効果が生じてしまうので、本発明の一実施形態に係る表面処理装置１００に用いられるパドル５０の形状とすることが良い。
【００４６】
また、図４にパドル５０のＡ−Ａ’断面図を示す。図４に示すように、角棒５１、５２、５３、５４（５４以降の符号は省略）は、当該角棒の厚み方向の断面（Ａ−Ａ’断面）において、上記被めっき物１０に対して曲面が設けられている。その曲面は、上記被めっき物１０に対し、左向き及び右向きが交互に設けられていることが好ましい。つまり、図４に示すように、左向きの曲面を有する角棒５１と、右向きの曲面を有する角棒５２とが交互に設けられており、隣り合う角棒５１、５２、５３、５４の断面形状がそれぞれ左右対称である。そうすることによって、パドルを往復移動させたとき、Ｘ軸方向における左右どちらの移動方向に対しても、表面処理液を捉えることができ、より均一に撹拌することができる。
【００４７】
次に、図４の５０Ａで示した部分を拡大した図５を用いて、上記パドル５０をより詳細に説明する。上記パドル５０（５０Ａ）は、上記被めっき物１０に沿って上記表面処理液の深さ方向に設けられた複数の角棒が一定の間隔で一体に形成されている。上記角棒５１、５２、５３、５４は、５〜１０ｍｍ角であることが好ましい。図５の記号で示すと、四角形の４辺のうち、曲面が形成されていない辺Ａ＝５〜１０ｍｍ、Ｂ＝５〜１０ｍｍである。このようにすれば、表面処理液を撹拌するのに最適なサイズとなり、表面処理液をより均一に撹拌することでめっき厚を均一にし、かつ強度をより向上させることができる。さらに、パドルの強度も向上する。なお、Ｃ＝２〜５ｍｍ、Ｄ＝２〜５ｍｍであることが好ましい。
【００４８】
上記角棒５１、５２、５３、５４の辺Ａ及び／又はＢが５ｍｍ未満となると、角棒が小さくなるので、撹拌力が低下する場合がある。一方、１０ｍｍより大きくなると、撹拌力は向上するが、装置の重量化が懸念される。
【００４９】
また、上記角棒における上記間隔は、１０〜３０ｍｍに形成されていることが好ましい。図５の記号で示すと、Ｅ＝１０〜３０ｍｍ、Ｆ＝１０〜３０ｍｍである。このようにすれば、パドル５０が被めっき物１０をアノード８０に対して遮蔽することなく、アノード８０から被めっき物１０への通電が確保されるとともに、表面処理液を均一に撹拌し、めっき厚をより均一にできる。上記間隔が１０ｍｍ未満となると、めっき時にアノード８０に対する遮蔽効果が生じ、アノード８０から被めっき物１０への通電を確保できず、めっき厚を均一にすることが困難な場合もある。一方、３０ｍｍより大きくなると、パドル５０に設ける上記角棒の本数自体が減少するため、被めっき物１０近傍の表面処理液を効率よく撹拌することが困難な場合もある。
【００５０】
上記曲面は、Ｒ３〜１０ｍｍであることが好ましい。図５の記号で示すと、Ｈ＝３〜１０ｍｍである。このようにすれば、最適なパドルの曲面となり、表面処理液をさらに効率的に捉え、より均一に撹拌することでめっき厚を均一にし、かつパドル５０の強度をより向上させることができる。上記曲面のＲが３ｍｍ未満となると、曲面の面積が減ることで、表面処理液をより効率的に捉えることができない場合がある。一方、１０ｍｍより大きくなるとパドル５０の強度が低減する場合がある。
【００５１】
本発明の一実施形態に係る表面処理装置１００に用いられるパドル５０は、角棒が一定の間隔で一体に形成されており、曲面が設けられている。つまり、パドル５０（５０Ａ）の断面形状は図５に示した角棒５１〜５４となる。ここで、表面処理液を撹拌する形状は、図５に示した断面形状ではなく、例えば、台形・ひし形、三角形、三日月型、単なるＬ時やＴ字など従来技術に示された形状も考えられるが、台形・ひし形、三角形はどれも表面処理液を効率的に捉えることに乏しく、撹拌を効果的に行うことが困難である。また、三日月型は強度的に懸念される。よって、図５に示した断面形状をしたパドルが最も効率的に表面処理液を撹拌することができ、かつパドル５０ひいては装置１００の強度を向上させることができる。
【００５２】
また、上記パドル５０（５０Ａ）と上記被めっき物１０との距離が１０〜３０ｍｍであることが好ましい。図５の記号で示すと、Ｇ＝１０〜３０ｍｍである。上記の距離が１０ｍｍ未満であると、パドルと被めっき物が接触する懸念性が高くなる。３０ｍｍより大きくなると、被めっき物１０とパドル５０との距離が離れるので、撹拌力が低下する場合がある。
【００５３】
さらに上記パドル５０における曲面のパラメータの追加例としては、図６に示すように、Ａ，Ｂ＝５〜１０、Ｈ＝１〜１５、Ｊ＝−１５〜１５、Ｋ＝−１５〜１５としてもよい（但し、Ｊ・Ｋは角棒５５の外側を＋、内側を−とする）。例えば図６（Ａ）に示す角棒５５の曲面のパラメータとしては、Ａ＝６、Ｂ＝８、Ｈ＝８、Ｊ＝３、Ｋ＝２となる。また、例えば図６（Ｂ）に示す角棒５６の曲面のパラメータとしては、Ａ＝１０、Ｂ＝１０、Ｈ＝１５、Ｊ＝−１５、Ｋ＝５となる。なお、上記曲面は便宜上真円で示したが、図６（Ｃ）に示すように角棒５７、５７’に設けられた曲面は、楕円、放物線としてもよい。このように曲面を有すればよい。
【００５４】
以上より、本発明の一実施形態に係るパドル５０によれば、被めっき物近傍の表面処理液を均一に撹拌することでめっき厚を均一にし、かつ強度を向上することができるパドルを提供することができる。
【００５５】
本発明の一実施形態に係るパドル５０の他の実施形態としては、図３に示した格子状の他、図７に示した形状としても良い。図７に示すパドル１５０は、板状であって、左右及び上下方向の列に複数の貫通穴が設けられ、上記貫通穴が設けられた領域以外の領域に球状の複数のザグリ（凹）が設けられていることを特徴とする。また、上記ザグリは、上記貫通穴に隣り合う位置及び／又は上記貫通穴どうしが対角する位置に設けられてもよい。
【００５６】
図８（Ａ）に図７のａ−ａ’断面図、図８（Ｂ）にｂ−ｂ’断面図、図８（Ｃ）にｃ−ｃ’断面図、図８（Ｄ）にｄ−ｄ’断面図を示す。図８（Ａ）及び図８（Ｃ）に示すように、左右及び上下方向に貫通穴が設けられている列に、複数のザグリが設けられてもよい。また、図８（Ｂ）及び図８（Ｄ）に示すように、左右及び上下方向に貫通穴が設けられていない列にも、追加的に複数のザグリが設けられてもよい。上記のように左右及び上下方向の一直線上にザグリを設けた方が、より均一に撹拌できるし、ザグリ加工も容易である。また、ザグリは断面で見たときに真円でなく楕円などでもよく、曲面を有すればよい。
【００５７】
上記貫通穴は、四角形や円状でもよい。上記貫通穴の大きさは、１０〜３０ｍｍが好ましい。上記ザグリの深さは３〜８ｍｍでＲ＝３〜８ｍｍとしてもよい。上記パドルの板の厚みは５〜１０ｍｍが好ましい。
【００５８】
このようにすることで、図７におけるＺ方向の撹拌も効果的に行うことができる。この場合、表面処理槽に対して長手又は短手方向に往復運動することが、スペースが狭いため不可能な場合に特に有効である。
【００５９】
また、図９に示すように、パドル２００は貫通穴が千鳥状に設けられてもよい。このようにすれば、Ｚ方向の撹拌も効果的に行うことができるほか、千鳥状に貫通穴を設けた方が、設けないときよりも、横桟部分が陽極に対して常に遮蔽になりにくいので、よりめっき厚を均一にすることができる。なお、好ましい貫通穴の形状や大きさ、ザグリの深さは上記の通りである。
【００６０】
［３．表面処理方法］
次に、本発明の一実施形態に係る表面処理方法について説明する。本発明の一実施形態に係る表面処理方法は、被めっき物に対し往復移動させ、前記被めっき物近傍の表面処理液を撹拌するための少なくとも１以上の板状のパドルを用いた方法である。
【００６１】
そして、上記パドルは、上記被めっき物に沿って上記表面処理液の深さ方向に設けられた複数の角棒が一定の間隔で一体に形成されており、上記角棒は、当該角棒の厚み方向の断面において、上記被めっき物に対して曲面が設けられていることを特徴とする。
【００６２】
本発明の一実施形態に係る表面処理方法に用いられるパドル５０の特徴は上述した通りである。また、図７や図９に示したパドル１５０、２００を用いても良い。本発明の一実施形態に係る表面処理方法は、めっき（電解めっき、無電解めっき）やめっき前処理、後処理における撹拌が必要な場合に適用可能である。また、適用できる又は好ましい被めっき物は上述した通りである。
【００６３】
本発明の一実施形態に係る表面処理方法は、パドルによる撹拌の他、バブリングによる撹拌と組み合わせても良い。このようにすれば、表面処理液中に酸素が必要であり、溶存酸素を高めたい場合に好適である。
【００６４】
本発明の一実施形態に係る表面処理方法によれば、被めっき物近傍の表面処理液を均一に撹拌することでめっき厚を均一にし、かつパドルの強度を向上させ、長時間の撹拌が可能な表面処理方法を提供することができる。
【００６５】
なお、上記のように本発明の各実施形態について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００６６】
例えば、明細書又は図面において、少なくとも一度、より広義又は同義な異なる用語と共に記載された用語は、明細書又は図面のいかなる箇所においても、その異なる用語に置き換えることができる。また、表面処理装置、表面処理方法及びパドルの構成、動作も本発明の各実施形態で説明したものに限定されず、種々の変形実施が可能である。
【符号の説明】
【００６７】
１０  被めっき物、２０  被めっき物近傍の表面処理液、３０  表面処理槽、４０  固定具、４１  支柱、
５０  １５０  ２００  パドル、５０Ｒ  ５０Ｂ  ５０Ｌ  ５０Ｕ  パドルの端部、
５１  ５２  ５３  ５４  ５５  ５６  ５７  ５７’角棒、６０  動力手段、７０  軸受、８０  アノード、９０  フレーム、１００  表面処理装置
【図１】
2019183223.tif 000003
【図２】
2019183223.tif 000004
【図３】
2019183223.tif 000005
【図４】
2019183223.tif 000006
【図５】
2019183223.tif 000007
【図６】
2019183223.tif 000008
【図７】
2019183223.tif 000009
【図８】
2019183223.tif 000010
【図９】
2019183223.tif 000011